(57)【要約】【課題】この発明は、構成簡易にして、高品質な把持・装飾性を実現し得、且つ、設計を含む製作の自由度を向上し得るようにしたリール脚固定装置を提供することにある。【解決手段】リールシート本体１０のリール脚載置面を挟んで配される固定フード１４及び移動フード１７の外壁に、その他の部位と異なる彩色領域である凹部１４２，１７２を設け、この凹部１４２，１７２にチューブ部材１８を被着するように構成した。【選択図】      図１
2006006280.tif 000002
【特許請求の範囲】
【請求項１】
竿杆に外装され、リールの取付脚が載置されるリール脚載置面を挟んで対向配置され、該リール脚載置面に載置された前記リールの取付脚の両端を保持する少なくともいずれか一方が他方に接離自在に設けられるものであって、少なくとも外壁に、その他の部位と異なる彩色領域を設けた金属材料で形成された一対のフードと、
この一対のフードの彩色領域に被着される該彩色領域と同系色の柔軟性を有した被覆部材と、
を具備することを特徴とするリール脚固定装置。
【請求項２】
前記被覆部材は、前記彩色領域と異なる色彩を有することを特徴とする請求項１記載のリール脚固定装置。
【請求項３】
前記フードは、光輝性を有した金属材料で形成されることを特徴とする請求項１又は２記載のリール脚固定装置。
【請求項４】
前記彩色領域は、前記フードの外壁の周方向に設けられる凹部に形成されることを特徴とする請求項１乃至３のいずれか記載のリール脚固定装置。
【請求項５】
前記フードの色彩領域は、その他の部位に比して粗面に形成されることを特徴とする請求項１乃至４のいずれか記載のリール脚固定装置。
【請求項６】
前記被覆部材は、熱収縮性のチューブ部材、テープ、糸材の少なくともいずれか一つで形成されることを特徴とする請求項１乃至５のいずれか記載のリール脚固定装置。
【請求項７】
前記被覆部材は、フードの外壁と略面一に被着されることを特徴とする請求項１乃至６のいずれか記載のリール脚固定装置。
【発明の詳細な説明】
【技術分野】
【０００１】
この発明は、例えば魚釣用釣竿に用いるリール脚固定装置に関する。
【背景技術】
【０００２】
従来より、魚釣用釣竿においては、リールを装着するためのリール脚固定装置が設けられている。このリール脚固定装置は、竿杆に取付けられるリールシート本体に固定フードと、該固定フードに対向して竿軸方向に移動自在に移動フードが設けられている。そして、このようなリール脚固定装置は、リールを装着する場合には、その固定フードに対してリールの取付脚の一方端が挿入され、この状態で、移動フードを移動調整してリールの取付脚の他方端を固定することで、リールの竿杆への取付けが行われる。
【０００３】
なお、このようなリール脚固定装置としては、レバーの起状操作によって、その移動フードを竿軸方向に移動、あるいは固定するレバー式や、ナット部材により、移動フードを竿軸方向に移動、あるいは固定するナット式や、リールシート本体がグリップの一部として形成されている等の各種の方式のものが知られている。
【０００４】
ところが、上記リール脚固定装置では、その固定フード及び移動フードを金属材料で形成し、所望の強度を確保しなければならないために、釣り人が握り、投擲を行うような場合、指が直接的に金属製の固定フードや移動フードに触れて、金属特有の違和感をあたえるという問題を有する。
【０００５】
そこで、最近では、リール脚固定装置の固定フード上に装飾層及び保護層を積重した樹脂層を配して、釣り人が握った際の良好な感触を実現したうえで、装飾性を高めるように構成したものも出現されている（例えば、特許文献１参照）。
【特許文献１】特開２００２−１２５５３３号公報
【発明の開示】
【発明が解決しようとする課題】
【０００６】
しかしながら、上記リール脚固定装置では、その構成上、装飾層及び保護層からなる樹脂層を、固定フード及び移動フードの外壁に対して高精度な精度で形成しないと、所望の感触機能と共に、装飾機能を実現することが困難なために、その設計を含む製作性が劣るという問題を有する。
【０００７】
この発明は、上記の事情に鑑みてなされたもので、構成簡易にして、高品質な把持・装飾性を実現し得、且つ、設計を含む製作の自由度を向上し得るようにしたリール脚固定装置を提供することを目的とする。
【課題を解決するための手段】
【０００８】
この発明は、竿杆に外装され、リールの取付脚が載置されるリール脚載置面を挟んで対向配置され、該リール脚載置面に載置された前記リールの取付脚の両端を保持する一方が他方に接離自在に設けられるものであって、少なくとも外壁に、その他の部位と異なる彩色領域を設けた金属材料で形成された一対のフードと、この一対のフードの彩色領域に被着される該彩色領域と同系色の柔軟性を有した被覆部材とを備えてリール脚固定装置を構成した。
【０００９】
上記構成によれば、フードは、その色彩領域に被覆部材が被着されることにより、その被覆部材を含む色彩領域と、その他の部位との間で色彩的に分離される。従って、把持時に、フードの外壁に配した被覆部材により、該フード自体への接触防止が実現されて高品質な感触が実現され、しかも、フード自体と被覆部材を含む色彩領域との色彩的分離により、組立て状態における視認性の向上が図れると共に、装飾性の多様化が容易に実現される。
【発明の効果】
【００１０】
以上述べたように、この発明によれば、構成簡易にして、高品質な把持・装飾性を実現し得、且つ、設計を含む製作の自由度を向上し得るようにしたリール脚固定装置を提供することができる。
【発明を実施するための最良の形態】
【００１１】
以下、この発明の実施の形態について、図面を参照して詳細に説明する。
【００１２】
図１及び図２は、この発明の一実施の形態に係るリール脚固定装置を示すもので、リールシート本体１０は、リール脚載置面を形成し、元竿杆１１の所定の位置に固定配置される。
【００１３】
上記元竿杆１１は、例えば炭素繊維等の強化繊維にエポキシ樹脂等の合成樹脂を含浸した繊維強化プリプレグ（以下の説明では、単にプリプレグと称する）を周方向、軸方向あるいは軸線に対して適宜角度に傾斜した偏向方向に引き揃えて巻回し、これらの複数の本体層を積層した中空状又は中実状に形成される。
【００１４】
また、リールシート本体１０は、例えばＳＵＳ、チタン等の金属材料や樹脂材料等の硬質高強度材料で形成され、例えば柔軟性部材が外装される前側グリップ１２及び後側グリップ１３で挟装されて配される。このうち後側グリップ１３は、上記リールシート本体１０の後端側において上記元竿杆１１に取付けられ、その先端部に詳細を後述する固定フード１４がリールシート本体１０のリール脚載置面に対応して設けられる。そして、この後側グリップ１３の後端には、尻栓１５が配設される。
【００１５】
他方の前側グリップ１２は、リールシート本体１０の先端側に元竿杆１１に対して竿杆方向に移動可能に設けられ、その内部にナット部材１６が嵌着される。このナット部材１６は、上記リールシート本体１０の先端部に設けられた螺子部１０１に螺合され、その後端側に詳細を後述する上記固定フード１４と略同様に形成される移動フード１７が取付けられる。これにより、ナット部材１６は、前側グリップ１２と共に、移動フード１７が回転操作されると、リールシート本体１０の螺子部１０１との螺合が調整されて上記前側グリップ１２と一体となり竿杆方向に移動される。すると、移動フード１７は、その竿杆方向に移動により、上記固定フード１４と協働して上記リールの取付脚（図示せず）の両端を挟持してリールシート本体１０上に位置決め固定する。
【００１６】
次に、上記固定フード１４及び移動フード１７について説明する。
【００１７】
即ち、これら固定フード１４及び移動フード１７は、同様に図２に示すように金属材料、例えばアルミニウムで略リング状に形成され、その内壁に脚挿入部１４１，１７１がそれぞれ上記取付脚の両端部に対応して設けられる。これにより、この移動フード１７は、上述したように前側グリップ１２を介して竿杆方向に移動されると、その脚挿入部１７１内に上記固定フード１４の脚挿入部１４１に挿入された上記リールの取付脚（図示せず）の他方端が挿入され、該固定フード１４と協働して上記リールの取付脚（図示せず）の両端を挟持してリールシート本体１０上に位置決め固定する。
【００１８】
また、これら固定フード１４及び移動フード１７の外壁には、その周方向に色彩領域を構成する凹部１４２，１７２が周方向にリング状に形成される。これら固定フード１４及び移動フード１７は、例えばアルマイト処理等により、凹部１４２，１７２と、その他の部位とで異なる色彩、例えば凹部１４２，１７２を黒、その他の部位をオレンジ色の如く異なる色彩が施される。そして、これら固定フード１４及び移動フード１７は、その凹部１４２，１７２がその他の部位よりも粗面に形成される。
【００１９】
また、これら固定フード１４及び移動フード１７には、その凹部１４２，１７２に柔軟性を有した被覆部材、例えば図３に示す熱収縮性のチューブ部材１８が、その凹部１４２，１７２の両側部と略面一に被着される。この熱収縮性のチューブ部材１８は、耐摩耗性、耐熱性、電気絶縁性に優れた、例えばエチレンプロピレンゴムが用いられ、先ず、固定フード１４及び移動フード１７の凹部１４２，１７２の長さ寸法より、若干、長い所望の長さ寸法に切断される。そして、この切断したチューブ部材１８を接着剤を介在して図４に示すように固定フード１４及び移動フード１７の凹部１４２，１７２に被せ、そのチューブ部材１８と、固定フード１４及び移動フード１７の凹部１４２，１７２との間からはみ出した余分な接着剤を取除く。
【００２０】
次に、固定フード１４及び移動フード１７を軸回りに回転させながら、その凹部１４２，１７２に被せたチューブ部材１８を図示しない過熱器で加熱して熱収縮させて被着する（図５参照）。ここで、チューブ部材１８は、固定フード１４及び移動フード１７の凹部１４２，１７２に強固に接着され、しかも、その側部が凹部１４２，１７２の側壁に対向された状態で被着され、把持使用時における側部の剥がれが効果的に防止されて長期間に亘る安定した使用を可能とする。
【００２１】
これにより、釣り人が前側グリップ１２及び後側グリップ１３を把持した場合にも、その指等が固定フード１４及び移動フード１７に直接的に当接することなく、被覆部材であるチューブ部材１８に接触するため、寒い季節における金属特有の冷たさや、熱い季節における熱い触感を受けることがなく、高品質な感触が得られる。そして、この高品質な感触状態において、例えば釣り人が投擲を行う際には、該釣り人の指が、チューブ部材１８の滑り止め機能により安定した投擲動作が実現される。
【００２２】
ここで、上記チューブ部材１８は、固定フード１４及び移動フード１７の各凹部１４２，１７２の色彩と同系色のものを用いると、例えば凹部１４２，１７２に対してのチューブ部材１８の位置ずれや寸法誤差が生じた場合にも、その凹部１４２，１７２の作用により、目立ちにくく、また、簡便にして容易な製作を実現することが可能となる。
【００２３】
そして、チューブ部材１８の色彩を、例えば凹部１４２，１７２の色彩と異なるように設定した場合には、固定フード１４及び移動フード１７自体の色彩と、凹部１４２，１７２の色彩の３種類の色彩を用いた色彩構成が可能となることで、釣竿における装飾の多様化が図れる。この結果、設計上における自由度が向上されて、その設計を含む製作性の向上が図れる。
【００２４】
このように、上記リール脚固定装置は、リールシート本体１０のリール脚載置面を挟んで配される固定フード１４及び移動フード１７の外壁に、その他の部位と異なる彩色領域である凹部１４２，１７２を設け、この凹部１４２，１７２にチューブ部材１８を被着するように構成した。
【００２５】
これによれば、固定フード１４及び移動フード１７は、前側グリップ１２及び後側グリップ１３の把持時、その各凹部１４２，１７２に被着したチューブ部材１８に、釣り人の指が接触され、高品質な感触が実現され、しかも、チューブ部材１８を被着した凹部１４２，１７２と、その他の部位とで色彩的に分離されることにより、その装飾の多様化に伴う装飾性の向上が図れると共に、その凹部１４２，１７２とチューブ部材１８との色彩を利用した装飾が可能となる。
【００２６】
なお、上記実施の形態では、固定フード１４及び移動フード１７の外壁にその他の部位と異なる色彩を施した凹部１４２，１７２を形成し、この凹部１４２，１７２に被覆部材として所望の色彩のチューブ部材１８を、例えば略面一に配するように構成した場合で説明したが、これに限ることなく、その他、テープを巻き付けたり、あるいは糸材を巻回して構成するようにしても良い。これらテープあるいは糸材は、凹部の色彩と同系色あるいは異なる色彩のものが選択的に用いられる。
【００２７】
また、固定フード１４及び移動フード１７の外壁に、その他の部位と異なる色彩領域を形成して、この色彩領域に対して、同系色や異なる色材のチューブ部材１８、テープ及び糸材を組合わせて用いるように構成することも可能である。
【００２８】
さらに、上記実施の形態では、リール脚固定装置構造として、移動フード１７を竿杆先端側に配し、固定フード１４を竿杆元側に配する構成のものに適用した場合で説明したが、これに限ることなく、移動フード１７を竿杆元側に配し、竿杆先端側に固定フード１４を配する構成のものにおいても適用可能である。
【００２９】
また、上記実施の形態では、リール脚固定装置構造として、固定フード１４と移動フード１７を備える構造のものに適用するように構成した場合で説明したが、これに限ることなく、その他、例えば図６に示すように前側グリップ２０と後側グリップ２１との間にリールシート本体２２を配して、このリールシート本体２２を挟んで移動フード２３，２４をそれぞれ竿杆方向に接離自在に配する構成のものにおいても適用可能で、同様の効果が期待される。
【００３０】
この実施の形態に係るリール脚固定装置構造は、図示しないリールの取付脚をリールシート本体２２に載置し、移動フード２３，２４の双方あるいは一方を竿杆方向に移動させて取付脚（図示せず）を挟持して取付配置する。上記移動フード２３，２４には、同様に色彩の異なる色彩領域を形成し、この色彩領域に、同系色、または異なる色彩の被覆部材、例えばチューブ部材２５が被着される。
【００３１】
上記各実施の形態では、移動フード移動構成として、螺子構造を用いた場合について説明したが、この螺子構造に限ることなく、各種の移動構造のものにおいても適用可能で、同様の効果が期待される。
【００３２】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３３】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３４】
【図１】この発明の一実施の形態に係るリール脚固定装置を側面から見た状態において一部を断面して示した一部断面図である。
【図２】図１の固定フード及び移動フードにチューブ部材を被着した状態を示した断面図である、
【図３】図１のチューブ部材を取り出して示した断面図である。
【図４】図１の固定フード及び移動フードにチューブ部材を被着する手順を説明するために示した分解図である。
【図５】図４のチューブ部材の被着状態を示した平面図である。
【図６】この発明の他の実施の形態に係るリール脚固定装置を側面から見た状態を示した平面図である。
【符号の説明】
【００３５】
１０…リールシート本体、１０１…螺子部、１１…元竿杆、１２…前側グリップ、１３…後側グリップ、１４…固定フード、１４１…脚挿入部、１４２…凹部、１５…尻栓、１６…ナット部材、１７…移動フード、１７１…脚挿入部、１７２…凹部、１８…チューブ部材、２０…前側グリップ、２１…後側グリップ、２２…リールシート本体、２３，２４…移動フード、２５…チューブ部材。
【図１】
2006006280.tif 000003
【図２】
2006006280.tif 000004
【図３】
2006006280.tif 000005
【図４】
2006006280.tif 000006
【図５】
2006006280.tif 000007
【図６】
2006006280.tif 000008